(57)【要約】      （修正有）【課題】折畳み方式で腰掛けに変形でき、持ち運びに便利な松葉杖を提供する。【解決手段】変形可能な松葉杖であって、順に回転可能に接続して設置される、握り部、座部、及び支持部を備え、握り部と座部との回転角度及び座部と支持部との回転角度をロックするためのロック装置をさらに備え、使用するとき、握り部と支持部を座部の周りに一定の角度で反転して折り畳んで、休憩用の腰掛けに変形することができ、変形後の腰掛けの底部には、押したりスライドしたりすることを便利にするためにキャスターが設置され、キャスターを駆動するためのモーターをさらに取り付けて松葉杖を電動スクーターに変形することができる。【選択図】図１
0003231959.tif 000002
【実用新案登録請求の範囲】
【請求項１】
順に回転可能に接続して設置される、握り部、座部、及び支持部を備え、握り部と座部との回転角度及び座部と支持部との回転角度をロックするためのロック装置をさらに備える、ことを特徴とする変形可能な松葉杖。
【請求項２】
前記握り部は、ハンドル（１０）、第１連結ロッド（１１）、第２連結ロッド（１２）、及び第１クロスロッド（１３）を備え、前記第１連結ロッド（１１）の一端と前記第２連結ロッド（１２）の一端は、それぞれ前記ハンドル（１０）の両端に接続され、前記第１連結ロッド（１１）の他端と前記第２連結ロッド（１２）の他端は、それぞれ前記第１クロスロッド（１３）の両端に接続される、ことを特徴とする請求項１に記載の変形可能な松葉杖。
【請求項３】
両端がそれぞれ第１連結ロッド（１１）と第２連結ロッド（１２）に接続される第１補強ロッド（１４）をさらに備える、ことを特徴とする請求項２に記載の変形可能な松葉杖。
【請求項４】
前記座部は、第３連結ロッド（２１）、第４連結ロッド（２２）、及び第２クロスロッド（２３）を備え、前記第３連結ロッド（２１）の一端と第４連結ロッド（２２）の一端は、それぞれ前記第１クロスロッド（１３）に回転可能に接続され、前記第３連結ロッド（２１）の他端と第４連結ロッド（２２）の他端は、それぞれ前記第２クロスロッド（２３）の両端に接続される、ことを特徴とする請求項２に記載の変形可能な松葉杖。
【請求項５】
両端がそれぞれ前記第３連結ロッド（２１）と第４連結ロッド（２２）に接続され、又は、両端がそれぞれ前記第１クロスロッド（１３）と第２クロスロッド（２３）に接続される第２補強ロッド（２４）をさらに備える、ことを特徴とする請求項４に記載の変形可能な松葉杖。
【請求項６】
前記支持部は、一端が前記第２クロスロッド（２３）に回転可能に接続される第１支持ロッド（３１）を備える、ことを特徴とする請求項４に記載の変形可能な松葉杖。
【請求項７】
前記ロック装置は、前記握り部と前記座部との回転接続部及び前記座部と前記支持部との回転接続部に設置される、ことを特徴とする請求項６に記載の変形可能な松葉杖。
【請求項８】
前記ロック装置は、第１接続チューブ（１）と第２接続チューブ（２）を備え、前記第２接続チューブ（２）の一端が前記第１接続チューブ（１）の中部に連通し、前記第１接続チューブ（１）の連通部には、第１接続チューブ（１）の軸方向に延びている第１長尺状開口（３）が設置され、前記第２接続チューブ（２）の側壁には、前記第１長尺状開口（３）に垂直な２本の平行な第２長尺状開口（４）が設置され、前記第２接続チューブ（２）の外周側には、チューブクリップ（５）がさらに設置される、ことを特徴とする請求項７に記載の変形可能な松葉杖。
【請求項９】
第２支持ロッド（３２）と第３支持ロッド（３３）をさらに備え、前記第２支持ロッド（３２）の一端と前記第３支持ロッド（３３）の一端は、それぞれ前記第１支持ロッド（３１）の第２クロスロッド（２３）から離れる一端にヒンジ接続され、第２支持ロッド（３２）の他端と第３支持ロッド（３３）の他端は、それぞれ前記第２クロスロッド（２３）に取り外し可能に接続され、又は、前記第１連結ロッド（１１）には、第１止まり穴が設置され、前記第２連結ロッド（１２）には、第２止まり穴が設置され、前記第２支持ロッド（３２）の他端と第３支持ロッド（３３）の他端は、それぞれ前記第１止まり穴と前記第２止まり穴に挿着嵌合される、ことを特徴とする請求項６〜８のいずれか１項に記載の変形可能な松葉杖。
【請求項１０】
前記第２支持ロッド（３２）と前記第３支持ロッド（３３）は、それぞれ弾性復帰機構を介して前記第１支持ロッド（３１）に回転可能に接続される、ことを特徴とする請求項９に記載の変形可能な松葉杖。
【請求項１１】
前記弾性復帰機構は、前記第２支持ロッド（３２）及び第３支持ロッド（３３）と第１支持ロッド（３１）との回転接続部に設置されるねじりバネである、ことを特徴とする請求項１０に記載の変形可能な松葉杖。
【請求項１２】
前記第２支持ロッド（３２）と前記第３支持ロッド（３３）の下部には、複数のキャスター（３４）がさらに設置される、ことを特徴とする請求項９に記載の変形可能な松葉杖。
【請求項１３】
前記第１支持ロッド（３１）の側壁には、スリーブ（３７）がさらに固定して設置され、前記スリーブ（３７）の軸方向が前記第１支持ロッド（３１）の長手方向に平行であり、前記スリーブ（３７）内には、制御ロッド（３５）がさらに挿通され、前記制御ロッド（３５）の下端には、主動輪（３６）及び前記主動輪（３６）を駆動するモーターが設置される、ことを特徴とする請求項１２に記載の変形可能な松葉杖。
【考案の詳細な説明】
【技術分野】
【０００１】
本願は、２０１７年７月１１日に中国特許庁に提出された出願番号が２０１７２０８４０００５．４、名称が「変形可能な松葉杖」の中国特許出願の優先権を主張しており、その全内容が援用により本願に組み込まれている。
【０００２】
本願は、松葉杖の技術分野に属し、具体的には、変形可能な松葉杖に関する。
【背景技術】
【０００３】
松葉杖は、高齢者や身体障害者にとって不可欠なツールであり、従来から、一定の構造と形状を有しており、しかしながら、高齢者又は身体障害者は、散歩した後に疲れたときその場で休むことができない場合がよくあり、従来技術の松葉杖は、構造形式が一定で、機能が単一であり、非常に運び持ちにくい。
【考案の概要】
【考案が解決しようとする課題】
【０００４】
従来技術に存在する上記問題を解決するために、本願は、従来技術の松葉杖の構造が単一で、腰かけのような機能がなく、且つ運び持ちにくいなどの欠点を解決する変形可能な松葉杖を提供する。
【課題を解決するための手段】
【０００５】
本願は、具体的には、以下の技術案によって実現される。
【０００６】
本願の変形可能な松葉杖は、順に回転可能に接続して設置される、握り部、座部、及び支持部を備え、握り部と座部との回転角度及び座部と支持部との回転角度をロックするためのロック装置をさらに備え、松葉杖として使用する場合、前記ロック装置は、握り部、座部、及び支持部をすべて垂直方向に保持することができ、前記握り部と前記支持部は、回転して地面にロックして支持することができ、座部は、支持面である腰掛け面としてユーザーが休憩することに用いられ、本願の変形可能な松葉杖は、構成が簡単且つ合理的であり、腰掛けのような機能を有する。
【０００７】
具体的には、前記握り部は、ハンドル、第１連結ロッド、第２連結ロッド、及び第１クロスロッドを備え、前記第１連結ロッドの一端と前記第２連結ロッドの一端は、それぞれ前記ハンドルの両端に接続され、前記第１連結ロッドの他端と前記第２連結ロッドの他端は、それぞれ前記第１クロスロッドの両端に回転可能に接続される。
【０００８】
さらなる改良として、両端がそれぞれ第１連結ロッドと第２連結ロッドに接続される第１補強ロッドをさらに備え、松葉杖として使用する場合は、歩くのに支障がある高齢者や身体障害者の場合、ハンドルを脇の下に支えて、第１補強ロッドを肘掛けとすることができ、このため、握りやすくなり、一方、松葉杖を腰掛けに変形した場合は、第１補強ロッドにより支持脚としての握り部の構造的強度が高まり、耐荷能力が向上する。
【０００９】
具体的には、前記座部は、第３連結ロッド、第４連結ロッド、及び第２クロスロッドを備え、前記第３連結ロッドの一端と第４連結ロッドの一端は、それぞれ前記第１クロスロッドに回転可能に接続され、前記第３連結ロッドの他端と第４連結ロッドの他端は、それぞれ前記第２クロスロッドに回転可能に接続される。
【００１０】
さらなる改良として、両端がそれぞれ前記第３連結ロッドと第４連結ロッドに接続され、又は、両端がそれぞれ前記第１クロスロッドと第２クロスロッドに接続される第２補強ロッドをさらに備え、第２補強ロッドは、座部の構造の安定性を高めるだけでなく、第３連結ロッドと第４連結ロッドへの荷重を負荷することができ、長時間の着座による第３連結ロッドや第４連結ロッドの変形や曲げを防止し、変形可能な松葉杖の耐用年数を延ばす。
【００１１】
具体的には、前記支持部は、一端が前記第２クロスロッドに回転可能に接続される第１支持ロッドを備える。
【００１２】
前記ロック装置は、互いに垂直に連通して設置された第１接続チューブ１と第２接続チューブ２を備え、前記第２接続チューブの一端が前記第１接続チューブの中部に連通し、前記第１接続チューブの連通部には、第１接続チューブの軸方向に沿う第１長尺状開口が設置され、前記第２接続チューブの側壁には、前記第１長尺状開口に垂直に接続される２本の水平な第２長尺状開口が設置され、前記第２接続チューブの外周側には、チューブクリップ又はクランプがさらに設置される。実際に使用するとき、前記第１クロスロッドが２つのロック装置の第１接続チューブ内に挿通され、第３連結ロッドと第４連結ロッドがそれぞれ２つのロック装置の第２接続チューブ内に挿着され、チューブクリップ又はクランプにより締め付けられ、前記第２クロスロッドが一方のロック装置の第１接続チューブ内に挿通され、第１支持ロッドが第２接続チューブ内に挿着され、チューブクリップ又はクランプにより締め付けられる。
【００１３】
さらなる改良として、第２支持ロッドと第３支持ロッドをさらに備え、前記第２支持ロッドの一端と前記第３支持ロッドの一端は、それぞれ前記第１支持ロッドの第２クロスロッドから離れる一端にヒンジ接続され、第２支持ロッドの他端と第３支持ロッドの他端は、それぞれ前記第２クロスロッドに取り外し可能に接続され、又は、前記第１連結ロッドには、第１止まり穴が設置され、前記第２連結ロッドには、第２止まり穴が設置され、前記第２支持ロッドの他端は、前記第１止まり穴に挿着嵌合し、前記第３支持ロッドの他端は、前記第２止まり穴に挿着嵌合してもよい。
【００１４】
さらなる改良として、前記第２支持ロッドの一端と前記第３支持ロッドの一端は、それぞれ弾性復帰機構を介して前記第１支持ロッドに回転可能に接続される。
【００１５】
さらに、前記弾性復帰機構は、前記ねじりバネが前記第２支持ロッド及び第３支持ロッドと第１支持ロッドとの回転接続部に設置されるねじりバネであり、ねじりバネが正常な状態である場合、ねじりバネの一端は、第１支持ロッドに係合され、ねじりバネの他端は、第２支持ロッド又は第３支持ロッドに係合され、このとき、第２支持ロッド又は第３支持ロッドは、第１支持ロッドに平行である。
【００１６】
松葉杖として使用する場合、前記第２支持ロッドと第３支持ロッドは、上端の第１支持ロッドへの負荷を分担して、第１支持ロッドと第２クロスロッドとの回転接続部に印加される力が大きすぎることを防止することができ、腰掛けとして使用する場合、第２支持ロッドと第３支持ロッドは、それぞれ前記第１止まり穴と第２止まり穴に挿設され、腰掛けの使用時の構造の安定性を向上させる。
【００１７】
さらなる改良として、前記第２支持ロッドと第３支持ロッドの挿着端の周側壁それぞれに、係止溝が設置され、前記係止溝の幅が第１連結ロッドと第２連結ロッドの肉厚よりも大きく、腰掛けとして使用する場合、第２支持ロッドと第３支持ロッドをそれぞれ第１止まり穴と第２止まり穴に挿入した後、第２支持ロッド又は第３支持ロッドを軽く押して第１連結ロッドの管壁又は第２連結ロッドの管壁を係止溝に係合するだけでよく、前記第２支持ロッドと第３支持ロッドは、腰掛けを固定する作用を果たす。
【００１８】
さらなる改良として、前記第２支持ロッドと前記第３支持ロッドの下部には、複数のキャスターがさらに設置され、それによって、スライド可能な腰掛けに変形することができ、押したりスライドしたりすることを便利にする。
【００１９】
さらなる改良として、前記第１支持ロッドには、第１支持チューブに平行なスリーブが固定して設置され、前記スリーブ内には、制御ロッドが套設され、前記制御ロッドの下端には、主動輪及び前記主動輪を駆動するモーターが設置され、スライド可能な腰掛けを電動スクーターに変形することで、使用や持ち運びをより便利にする。
【考案の効果】
【００２０】
以上の技術案に基づき、本願の技術的効果は、以下のとおりである。
【００２１】
第１、本願の変形可能な松葉杖は、折畳み方式で松葉杖を腰掛けに変形し、ユーザーの休憩に用いられる。
【００２２】
第２、本願の変形可能な松葉杖は、底部にキャスターをさらに設置してスライド可能な腰掛けとすることができ、さらに、キャスターを回転駆動するモーターを追加して電動スクーターとし、それによって、使用も持ち運びも非常に便利である。
【図面の簡単な説明】
【００２３】
本願の実施例又は従来技術の技術案をより明瞭に説明するために、以下、実施例又は従来技術の説明に必要な図面を簡単に説明するが、明らかなように、後述する図面は、単に本願の実施例の一部に過ぎず、当業者にとって、創造的な努力を必要とせずにこれらの図面に基づいて他の図面を想到し得る。
【００２４】
【図１】本願の実施例に係る変形可能な松葉杖の構造模式図である。
【図２】本願の実施例に係る変形可能な松葉杖の別の形態の構造模式図である。
【図３】本願の実施例に係る変形可能な松葉杖のロック装置の構造模式図である。
【考案を実施するための形態】
【００２５】
本願の目的、技術案及び利点をより明瞭にするために、以下、本願の技術案を詳細に説明する。明らかなように、説明される実施例は本願の実施例の一部に過ぎず、すべての実施例ではない。本願における実施例に基づき、当業者が創造的な努力を必要とせずに得られる全ての他の実施形態は、本願の保護範囲に属する。
【００２６】
実施例１
図１と図３に示されるように、本実施例は、順に回転可能に接続して設置される、握り部、座部、及び支持部を備え、握り部と座部との回転角度及び座部と支持部との回転角度をロックするためのロック装置をさらに備える変形可能な松葉杖を提供する。
【００２７】
前記握り部は、ハンドル１０、第１連結ロッド１１、第２連結ロッド１２、及び第１クロスロッド１３を備え、前記第１連結ロッド１１の一端と前記第２連結ロッド１２の一端は、それぞれ前記ハンドル１０の両端に接続され、前記第１連結ロッド１１の他端と前記第２連結ロッド１２の他端は、それぞれ前記第１クロスロッド１３の両端に接続される。
【００２８】
両端がそれぞれ第１連結ロッド１１と第２連結ロッド１２に接続される第１補強ロッド１４をさらに備え、松葉杖として使用する場合は、歩くのに支障がある高齢者や身体障害者の場合、ハンドル１０を脇の下に支えて、第１補強ロッド１４を肘掛けすることができ、このため、握りやすくなり、一方、松葉杖を腰掛けに変形した場合は、第１補強ロッド１４により支持脚としての握り部の構造的強度が高まり、握り部の耐荷能力が向上する。
【００２９】
前記座部は、第３連結ロッド２１、第４連結ロッド２２、及び第２クロスロッド２３を備え、前記第３連結ロッド２１の一端と第４連結ロッド２２の一端は、それぞれ前記第１クロスロッド１３に回転可能に接続され、前記第３連結ロッド２１の他端と第４連結ロッド２２の他端は、それぞれ前記第２クロスロッド２３の両端に接続される。
【００３０】
両端がそれぞれ前記第３連結ロッド２１と第４連結ロッド２２に接続され、又は、両端がそれぞれ前記第１クロスロッド１３と第２クロスロッド２３に接続され、又は、一端が第３連結ロッド２１又は第４連結ロッド２２に接続され、他端が前記第１クロスロッド１３又は第２クロスロッド２３に接続される第２補強ロッド２４をさらに備え、第２補強ロッド２４は、座部の構造の安定性を高めるだけでなく、第３連結ロッド２１と第４連結ロッド２４への荷重を負荷することができ、長時間の着座による第３連結ロッド２１や第４連結ロッド２２の変形や曲げを防止し、変形可能な松葉杖の耐用年数を延ばす。
【００３１】
具体的には、前記支持部は、一端が前記第２クロスロッド２３に回転可能に接続される第１支持ロッド３１を備える。
【００３２】
前記ロック装置は、互いに垂直に連通して設置された第１接続チューブ１と第２接続チューブ２を備え、前記第２接続チューブ２の一端が前記第１接続チューブ１の中部に連通し、前記第１接続チューブ１の連通部には、第１接続チューブ１の軸方向に沿う第１長尺状開口３が設置され、前記第２接続チューブ２の側壁には、前記第１長尺状開口３に垂直に接続される２本の水平な第２長尺状開口４が設置され、前記第２接続チューブ２の外周側には、チューブクリップ５がさらに設置される。実際に使用するとき、前記第１クロスロッド１３が２つのロック装置の第１接続チューブ１内に挿通され、第３連結ロッド２１と第４連結ロッド２２がそれぞれ２つのロック装置の第２接続チューブ２内に挿着され、チューブクリップ５により締め付けられ、前記第２クロスロッド２３が一方のロック装置の第１接続チューブ１内に挿通され、第１支持ロッド３１が第２接続チューブ２内に挿着され、チューブクリップ５により締め付けられる。
【００３３】
実施例２
本実施例は、上記実施例１を基にして改良したものであり、本願をより良好に実現するために、特に以下の構造を使用する。
【００３４】
第２支持ロッド３２と第３支持ロッド３３をさらに備え、前記第２支持ロッド３２の一端と前記第３支持ロッド３３の一端は、それぞれ前記第１支持ロッド３１の第２クロスロッド２３から離れる一端に回転可能に接続され、第２支持ロッド３２の他端と第３支持ロッド３３の他端は、それぞれ前記第２クロスロッド２３に取り外し可能に接続され、前記第１連結ロッド１１には、第１止まり穴が設置され、前記第２連結ロッド１２には、第２止まり穴が設置され、前記第２支持ロッド３２の他端は、前記第１止まり穴に挿着嵌合し、前記第３支持ロッド３３の他端は、前記第２止まり穴に挿着嵌合してもよい。
【００３５】
さらなる改良として、前記第２支持ロッド３２と第３支持ロッド３３の挿着端の周側壁それぞれに、係止溝が設置され、前記係止溝の幅が第１連結ロッド１１と第２連結ロッド１２の肉厚よりも大きく、腰掛けとして使用する場合、第２支持ロッド３２と第３支持ロッド３３をそれぞれ第１止まり穴と第２止まり穴に挿入した後、第２支持ロッド３２又は第３支持ロッド３３を軽く押して第１連結ロッド１１の管壁又は第２連結ロッド１２の管壁を係止溝に係合するだけでよく、このとき、第２支持ロッド３２と第３支持ロッド３３は、握り部、座部、及び支持部の回転に対してロック作用を果たし、構造の安定性を強化する。
【００３６】
実施例３
本実施例は、上記実施例２を基にして改良したものであり、本願をより良好に実現するために、特に以下の構造を使用する。
【００３７】
前記第２支持ロッド３２と前記第３支持ロッド３３は、それぞれ弾性復帰機構を介して前記第１支持ロッド３１に回転可能に接続される。
【００３８】
さらに、前記弾性復帰機構は、前記第２支持ロッド３２及び第３支持ロッド３３と第１支持ロッド３１との回転接続部に設置されるねじりバネであり、ねじりバネが正常な状態である場合、ねじりバネの一端は、第１支持ロッド３２に係合され、ねじりバネの他端は、第２支持ロッド３２又は第３支持ロッド３３に係合され、このとき、第２支持ロッド３２又は第３支持ロッド３３は、第１支持ロッド３１に平行である。
【００３９】
前記第２支持ロッド３２と前記第３支持ロッド３３は、いずれも弾性復帰機構を介して第１支持ロッド３１に回転可能に接続され、松葉杖として使用する場合、第２支持ロッドと第３支持ロッドが第１支持ロッド３１に平行な位置に自動的に復帰することができ、正常な歩行に影響をもたらすことがない。
【００４０】
実施例４
本実施例は、上記実施例３を基にして改良したものであり、本願をより良好に実現するために、特に以下の構造を使用する。
【００４１】
腰掛けとして使用する場合、前記第２支持ロッド３２と第３支持ロッド３３は、それぞれ第１止まり穴と第２止まり穴に挿着嵌合される。
【００４２】
さらなる改良として、前記第２支持ロッド３２と前記第３支持ロッド３３の下部には、複数のキャスター３４がさらに設置され、このとき、松葉杖がスライド可能な腰掛けに変形され、押しや持ち運びが便利になる。
【００４３】
実施例５
本実施例は、上記実施例４を基にして改良したものであり、本願をより良好に実現するために、特に以下の構造を使用する。
【００４４】
前記第１支持ロッド３１の側壁には、スリーブ３７がさらに固定して設置され、前記スリーブ３７の軸方向が前記第１支持ロッド３１の長手方向に平行であり、前記スリーブ３７内には、制御ロッド３５が挿通され、前記制御ロッド３５の下端には、主動輪３６とモーターが設置され、制御ロッド３５の下端には、主動輪３６を挟持するダブルフォークが設置され、主動輪３６の両側は、固定して設置される回転軸を介してダブルフォークに回転可能に接続され、回転軸には、伝動ギアが設置され、モーターの出力軸には、伝動ギアと噛み合う主動ギアが設置され、前記モーターは、制御ロッド３５に固定して設置され、前記主動輪３６を駆動する。
【００４５】
さらなる改良として、前記制御ロッドの上端には、ハンドルが設置され、ブレーキシステムをさらに備え、前記ブレーキシステムは、順に接続されたブレーキレバー、ブレーキワイヤー、及び２枚のブレーキパッドからなるＶブレーキを備え、前記ブレーキレバーが前記制御ロッドの上端に設置されて前記ハンドルに接続され、２枚の前記ブレーキパッドが前記主動輪を挟む。
【００４６】
さらなる改良として、すべての前記連結ロッドは、一定の肉厚を有する中空管状構造であり、松葉杖の重量を軽減して、持ち運びを便利にする。
【００４７】
以上は、本願の具体的な実施形態に過ぎず、本願の保護範囲は、それに限定するものではなく、当業者が本願に開示された技術範囲内に容易に想到し得る変化又は置換は、いずれも本願の保護範囲に属すべきである。従って、本願の保護範囲は、実用新案登録請求の範囲による保護範囲に準じるべきである。
【符号の説明】
【００４８】
１−第１接続チューブ、２−第２接続チューブ、３−第１長尺状開口、４−第２長尺状開口、５−チューブクリップ、１０−ハンドル、１１−第１連結ロッド、１２−第２連結ロッド、１３−第１クロスロッド、１４−第１補強ロッド、２１−第３連結ロッド、２２−第４連結ロッド、２３−第２クロスロッド、２４−第２補強ロッド、３１−第１支持ロッド、３２−第２支持ロッド、３３−第３支持ロッド、３４−キャスター、３５−制御ロッド、３６−主動輪、３７−スリーブ。
【図１】
0003231959.tif 000003
【図２】
0003231959.tif 000004
【図３】
0003231959.tif 000005